(57)【特許請求の範囲】
【請求項１】
被検眼の眼底画像データを撮影する眼底カメラ部と、前記眼底カメラ部により撮影された眼底画像データおよびその眼底画像データの撮影条件データをファイリングする画像ファイリング装置を含む眼底撮影装置において、
被検眼の視線の方向を誘導する固視灯と、
眼底撮影時の撮影倍率を制御する変倍手段と、
前回撮影した眼底画像データを表示する表示手段と、
前記表示手段に表示された前回撮影した眼底画像データの所定範囲を次回の撮影範囲として指定する入力手段と、
前記入力手段により指定された次回の撮影範囲と、前回撮影した眼底画像データの撮影条件データから、次回の撮影時の前記固視灯による視線の誘導方向と、前記変倍手段により制御される撮影倍率を決定する制御手段を有することを特徴とする眼底撮影装置。
【請求項２】
前記制御手段は、前記入力手段により指定された次回の撮影範囲と、前回の撮影時の撮影条件データに含まれる前記固視灯による視線の誘導方向と、前記変倍手段により制御される撮影倍率から、次回の撮影時の前記固視灯による視線の誘導方向と、前記変倍手段により制御される撮影倍率を決定することを特徴とする請求項１に記載の眼底撮影装置。
【請求項３】
前記撮影条件データは、さらに被検者を特定する情報、被検眼の左右を特定する情報を含むことを特徴とする請求項１に記載の眼底撮影装置。
【請求項４】
前記入力手段により、前記の次回の撮影範囲を矩形範囲として指定することを特徴とする請求項１に記載の眼底撮影装置。
【請求項５】
前記の次回の撮影範囲を該撮影範囲の中心と画角により指定することを特徴とする請求項１に記載の眼底撮影装置。
【請求項６】
前記画像ファイリング装置のファイリングデータを共有し、前記前回の撮影と前記次回の撮影を異なる眼底撮影装置で実行することを特徴とする請求項１に記載の眼底撮影装置。
【請求項７】
前回の撮影の際の撮影条件データを用いて次回の撮影を行なうとともに、前記入力手段により次回の撮影において変更が必要な撮影条件データを変更し、変更された撮影条件データに基づき次回の撮影を実行することを特徴とする請求項１に記載の眼底撮影装置。
【発明の詳細な説明】
【０００１】
【発明の属する技術分野】
本発明は眼底撮影装置、特に、被検眼の眼底画像データを撮影する眼底カメラ部と、前記眼底カメラ部により撮影された眼底画像データおよびその眼底画像データの撮影条件データをファイリングする画像ファイリング装置を含む眼底撮影装置に関するものである。
【０００２】
【従来の技術】
眼底カメラにおいて、眼底カメラ光学系の内部あるいは外部に設けた固視灯（固視標、あるいは単に視標ともいう）を用いて被検眼の視線誘導を行なう技術が知られている。内部／外部固視灯により、被検眼の視線を誘導し、被検眼の眼底を観察／撮影する場合、眼底の観察／撮影部位を選択することができる。また、眼底の観察／撮影部位の大きさは、眼底カメラの光学系の撮影倍率を調節することにより選択することができる。
【０００３】
【発明が解決しようとする課題】
一般に、集団検診などで行われる眼底撮影は、被検者全員について、まず眼底カメラの固視位置（内部／外部固視灯などによる視線誘導方向）はほぼ同じにしておいて広角で撮影し、スクリーニングを行なう検者（医師）がこの画像を見て、異常またはその可能性がある被検者には再検査（精密検査）を受けるよう指示する。
【０００４】
この再検査においては、異常またはその可能性がある部分を中心として、集団検診の撮影よりも拡大して撮影するのが望ましい場合が多い。しかしこれまでの眼底撮影装置では、再検査での位置、倍率を撮影現場で改めてセッティングして撮影しなければならなかった。このため、撮影者に正しく伝わるようにスクリーニングを行なう検者が一被検者毎に撮影部位および、撮影倍率を判りやすく言葉で説明する必要があった。
【０００５】
また、通常、撮影範囲の決定は固視灯の位置を変え、被検眼の視線誘導方向を変更することにより行なうが、固視灯位置は眼底上の黄斑部の位置に対応するため、眼底周辺部などを撮影画面中心部にするためには、固視灯の操作が単純ではなく、ある程度の熟練を必要としていた。
【０００６】
本発明の課題は、上記の問題を解決し、眼底再検査の際の操作性を向上するとともに、スクリーニングを行なう検者の要望する撮影条件で確実に眼底再検査を行なえるようにすることにある。
【０００７】
【課題を解決するための手段】
上記の課題を解決するため、本発明によれば、被検眼の眼底画像データを撮影する眼底カメラ部と、前記眼底カメラ部により撮影された眼底画像データおよびその眼底画像データの撮影条件データをファイリングする画像ファイリング装置を含む眼底撮影装置において、
被検眼の視線の方向を誘導する固視灯と、
眼底撮影時の撮影倍率を制御する変倍手段と、
前回撮影した眼底画像データを表示する表示手段と、
前記表示手段に表示された前回撮影した眼底画像データの所定範囲を次回の撮影範囲として指定する入力手段と、
前記入力手段により指定された次回の撮影範囲と、前回撮影した眼底画像データの撮影条件データから、次回の撮影時の前記固視灯による視線の誘導方向と、前記変倍手段により制御される撮影倍率を決定する制御手段を有する構成を採用した。
【０００８】
【発明の実施の形態】
以下、図を参照して本発明の実施の形態を説明する。
【０００９】
以下では、図１および図２にそれぞれ異なる眼底撮影装置の構成を示す。図１および図２の装置の差異は、眼底カメラ部が図１では電子カメラ型（無散瞳型）、図２では無散瞳／散瞳兼用型で構成されている点であるが、本発明は、図１および図２のいずれの装置においても実施することができる。
【００１０】
まず、図１および図２のそれぞれの構成について説明する。
【００１１】
＜ハードウェア構成１＞
図１の眼底撮影装置は、主に観察および撮影光学系を含む眼底カメラ部１００と、観察／撮影制御および画像ファイリングを行なうための制御部２００から構成されている。
【００１２】
眼底カメラ部１００において、観察用光源であるランプ１から発せられた光は、赤外フィルタ２、コンデンサーレンズ３、撮影用光源としてのストロボ４を経て、リングスリット６を照明する。このリングスリット６は所定の外径と内径を有し、被検眼Ｅの瞳Ｅｐのほぼ共役位置に円環状の照明光束を形成する。
【００１３】
リングスリット６からの光束は、対物レンズ１１からの反射を除去するための黒点板８を通過する。黒点板８は、対物レンズ１１中に生じる撮影絞り１４の反射虚像１１ａと略共役な位置に配置された黒点８ａを有する。
【００１４】
黒点板８を通過した光束は、赤外ハーフミラー３５を通過し、リレーレンズ９を経て中心に穴の開いた穴あき全反射ミラー１０で反射される。全反射ミラー１０で反射された光束は対物レンズ１１により被検眼Ｅの瞳Ｅｐで結像された後、眼底Ｅｒに入射し眼底を赤外光でほぼ均一に照明する。赤外ハーフミラー３５は可視光成分を約２５％、赤外光成分を約５０％反射するものとする。
【００１５】
眼底Ｅｒからの反射光は、再び瞳Ｅｐの中心部を通過して対物レンズ１１を介して受光され、穴あき全反射ミラー１０の穴を介して、撮影光学系の光路に配置された撮影絞り１４、フォーカスレンズ１２、１３、結像レンズ１５を通過してリターンミラー１６に入射する。
【００１６】
図１の構成では、結像レンズ１５は変倍ズームレンズから構成されており、観察／撮影範囲の大きさを連続的に変化させることができるようになっている。
【００１７】
リターンミラー１６で反射された眼底からの光束は、結像レンズ１７により赤外フィルタ１８を前面に配置した観察用カメラ１９に集光される。観察用カメラ１９の撮像素子（ＣＣＤなど）は、赤外光に感度を有する。
【００１８】
また、リターンミラー１６の背後には、結像レンズ２２、可視光に感度を有する撮影用カメラ２３が配置されており、撮影用カメラ２３で眼底を撮影する時にはリターンミラー１６が光路から離脱される。
【００１９】
焦点合わせ、ないし視線誘導のための内部固視灯は、図１では次のように構成される。
【００２０】
すなわち、小径の開口を有するフォーカス指標３１をイメージプリズム３２を介してＬＥＤ（可視光）３３により照明し、フォーカスレンズ３４（フォーカスレンズ１２、１３と連動している）を介して赤外ハーフミラー３５に入射させ、照明光学系の光束と合成する。赤外ハーフミラー３５は可視光を反射するので、フォーカス指標３１の開口像は被検眼Ｅにより視認される。
【００２１】
本実施形態では、フォーカス指標３１は、光軸に交差する平面内で、その小径の開口３１ａの位置を変化させることができるようになっている。このために、フォーカス指標３１は図１の下部に示すように、ＸＹ方向にモータなどの駆動源により移動可能な小径穴板３１Ｍ、あるいは透過ドットの位置を任意に制御可能な液晶板３１Ｌから構成する。
【００２２】
眼底カメラ部１００による眼底観察／撮影／画像データ記録は制御部２００により制御される。
【００２３】
制御部２００は、一般的なパーソナルコンピュータのハードウェアから構成することができる。すなわち、制御部２００はＣＰＵ、ハードディスク、メモリなどコンピュータを構成するハードウェア部材から成るが、ここではこれらのハードウェア部材を直接示さず、制御部２００の機能ブロックとして図示している。
【００２４】
すなわち、制御部２００の主な機能ブロックは、切換装置２０、モニタ２１、画像ファイリング装置２０１、撮影範囲指定部２０２、データ入力部２０３である。
【００２５】
切換装置２０は、画像ファイリング装置２０１での画像ファイリング、あるいはモニタ２１での表示に観察用カメラ１９を用いるか、撮影用カメラ２３を用いるかを制御するためのものである。
【００２６】
画像ファイリング装置２０１は、実際にはハードディスクのような記憶媒体と、ＣＰＵで実行されるデータベースソフトウェアから構成され、キーボードおよびマウスなどのポインティングデバイスから構成されたデータ入力部２０３から入力された撮影データ、撮影範囲指定部２０２から指定された撮影範囲指定データとともに撮影画像（通常、撮影用カメラ２３が用いられる）を記録する。ファイリングされた撮影データを利用して行なう眼底検査に関しては後で詳しく述べる。
【００２７】
制御部２００は、ＮＩＣ（ネットワークインターフェースカード）などを介してネットワーク２０４（ＬＡＮあるいはＷＡＮ）に接続することができ、他の眼底撮影装置、コンピュータなどとファイリングされた撮影データを交換／共有することができる。
【００２８】
上記構成において、検査／再検査の際の撮影条件（後述）は、画像ファイリング装置２０１側で検出し、ハードディスクなどの記憶装置に後述するデータフォーマット（図５）で記録できるものとする。
【００２９】
また、検査／再検査の際、結像レンズ１５の撮影倍率は、モータやソレノイドにより結像レンズ１５を制御することにより決定できる。また、固視位置（視線誘導方向）は、内部固視灯の小径穴板３１Ｍ、または液晶板３１Ｌを制御することにより決定できる。
【００３０】
＜ハードウェア構成２＞
図２は、図１と異なる眼底カメラ部１００の構成を有する眼底撮影装置の構成を示している。図２の装置の眼底カメラ部１００は、無散瞳／散瞳兼用型で構成されている。
【００３１】
図２において、可視および赤外域で発光するランプＬＡがミラーＭ１の中心に配置され、このランプから発せられた光は、コンデンサーレンズＬ１、フィルタＦ１あるいはフィルタＦ１’、コンデンサーレンズＬ２を経て、全反射ミラーＭ２によって反射され、続いてリングスリットユニット５３あるいはリングスリットユニット５４、前述同様の黒点板８および赤外ハーフミラー３５を経て、穴あき全反射ミラーＭ３で反射されてから、対物レンズＬ５を経て被検眼Ｅの瞳Ｅｐより眼底Ｅｒに入射される。
【００３２】
上記のうち、フィルタＦ１は赤外光ないし近赤外光のみを通過させる赤外フィルタ、フィルタＦ１’は赤外カットフィルタであり、無散瞳／散瞳モードの別に応じて切り換えて用いられる。
【００３３】
また、リングスリットユニット（無散瞳時用）５３およびリングスリットユニット（散瞳時用）５４は、それぞれ無散瞳／散瞳モードにおいて異なるリング状の照明光を形成するためのものである。
【００３４】
赤外ハーフミラー３５は、内部固視灯を配置するためのもので、可視光成分を約２５％、赤外光成分を約５０％反射する（ダイクロイックミラー）。
【００３５】
図２の内部固視灯（無散瞳時に使用する）５１は、光軸と交差する平面内の異なる位置に複数配置されたＬＥＤ３３から構成され、その光（可視光）はフォーカスレンズ３４を介して赤外ハーフミラー３５に導かれる。図２の構成においては、点灯させるＬＥＤ３３を選択することにより、被検眼Ｅの視線誘導方向を制御することができる。
【００３６】
また、対物レンズＬ５の近傍には被検眼Ｅの視線を誘導するために外部固視灯５１ａ（主として散瞳時に使用する）が設けられている。外部固視灯５１は複数のＬＥＤ３３ａから構成され、点灯させるＬＥＤ３３ａを選択することにより被検眼Ｅの視線誘導方向を制御することができる。
【００３７】
眼底Ｅｒからの反射光は、再び瞳Ｅｐから対物レンズＬ５を介して受光され、穴あき全反射ミラーＭ３の穴、撮影絞り１４を介してフォーカスレンズＬ６、結像レンズＬ７を通過し、ミラーＭ４に入射する。ミラーＭ４はリターンミラーであり、撮影時にフィルム５２に眼底画像を導くようはね上げることができる。
【００３８】
図２の構成においては、結像レンズＬ７は５０°、３５°、２０°のそれぞれの撮影画角を有するレンズのいずれかをターレット式など適当な制御方式で光路内に導入するよう構成してあり、これにより撮影倍率を調節することができる。
【００３９】
ミラーＭ４で反射された光は、レンズＬ８を通過してミラーＭ５に入射する。ミラーＭ５もリターンミラーであり、散瞳モードの観察時に挿入状態とされ、このミラーＭ５およびレンズＬ８を介して検者Ｓが眼底画像を観察することができる。
【００４０】
ミラーＭ５がはね上げられている場合には、レンズＬ１０を介してミラーＭ４で反射された光はミラーＭ６の位置に到達する。ミラーＭ６もリターンミラーであり、眼底画像をレンズＬ９〜赤外フィルタ１８〜観察用カメラ１９、または撮影用カメラ２３のいずれかの方向に導くためのものである。
【００４１】
図２の構成では、色フィルタ撮影、あるいは蛍光撮影を行なえるようになっている。すなわち、照明系のレンズＬ２とミラーＭ２の間にはエキサイタフィルタ８２または色フィルタ（赤、青、緑など）８２を挿入／離脱できるようになっている。また、撮影／観察系の撮影絞り１４とフォーカスレンズＬ６の間には、蛍光成分を取り出すためのバリアフィルタ８１を挿入／離脱できるようになっている。これらのフィルタの挿入／離脱はモータやソレノイドなどの駆動手段（不図示）により制御される。
【００４２】
観察用カメラ１９ないし撮影用カメラ２３には、制御部２００が接続される。制御部２００は、図１の制御部２００と全く同様に構成されているものとする。
【００４３】
なお、図２中の符号Ｒは、被検眼Ｅの眼底Ｒ０と共役な眼底共役位置を示す。
【００４４】
本実施形態においても、検査／再検査の際の各撮影条件は、画像ファイリング装置２０１側で検出し、ハードディスクなどの記憶装置に後述のフォーマットで記録できるものとする。
【００４５】
また、検査／再検査の際、結像レンズＬ７によりいずれの画角（撮影倍率）を選択するかは、モータやソレノイドにより結像レンズＬ７を制御することにより決定できる。また、固視位置（視線誘導方向）は、内部および外部固視灯５１、５１ａのＬＥＤ３３、３３ａを選択することにより制御することができる。
【００４６】
＜検査、再検査およびデータファイリング処理＞
図１および図２に異なる眼底カメラ部１００を有する撮影システムを示した。図１および図２の撮影システムでは、制御部２００のハードウェア構成は同じであり、いずれのシステムにおいても検査／再検査および画像ファイリングはほぼ同様の操作により実施することができる。
【００４７】
図３は図１のハードウェア構成において用いられる再検査時の撮影範囲指定の様子を、図４は図２のハードウェア構成において用いられる再検査時の撮影範囲指定の様子をそれぞれ示している。図５は、画像ファイリング装置２０１で用いられるデータフォーマットの一例を、また、図６は検査／再検査の際のユーザーインターフェースを説明するもので、検査／再検査の際、モニタ２１に表示する表示画面の一例を示している。
【００４８】
検査／再検査の際、モニタ２１には図６のような表示画面７０を表示し、検査／再検査の際の撮影を制御する。図６において符号７１は、テープレコーダやＶＣＲのような装置で用いられるのと同様の早送り／巻き戻しシンボルで表示されたボタンで、このボタン７１を用いてモニタ２１に表示させる撮影データを１枚づつ、あるいは複数枚単位で進めたり戻したりすることができる。ボタン７１は、データ入力部２０３のマウスなどのポインティングデバイスにより操作されるものとする（後述の他のボタンも同じ）。
【００４９】
ボタン７２は検査を実行させるためのもので、最初の検査がまだ実行されていない場合には表示領域７６には撮影画像は表示されないが、ボタン７２を操作するか、眼底カメラ部１００のシャッタボタンを操作することにより撮影を行なうと、表示領域７６に撮影画像が表示される。
【００５０】
表示領域７３〜７５および７７は、ボタンやテキスト入力フィールド（ダイアログ）などから構成され、データ入力部２０３のマウスやキーボードを用いてＩＤ番号、被検者の氏名、さらに被検眼の左右、性別、検査方式（散瞳方式か無散瞳方式か、使用する色フィルタ８３の指定や、バリアフィルタ８１およびエキサイタフィルタ８２を用いた蛍光撮影を行なうか否かなど）、撮影媒体の別（フィルムかＣＣＤか）、などの撮影条件、コメントなどの書誌データを入力することができる。このうち、撮影の制御に必要なデータはもちろん撮影前のタイミングで入力する必要があるが、氏名や性別など撮影後の入力でも支障のないものは任意の入力タイミングを許容するのがよい。これらの撮影条件データは、図５のようなフォーマット（後述）で記憶されるが、既に撮影が行なわれている場合は、表示領域７３〜７５および７７のボタンやテキスト入力フィールドの表示がその前回の撮影条件データに対応する状態に制御される。したがって、再撮影を指定する場合には、前回の撮影条件データを出発点として必要なものを変更するだけで、容易に再検査の時の撮影条件を選択することができる。
【００５１】
図６のユーザーインターフェースを用いて入力されたデータ、および撮影の際に眼底カメラ部１００の各部から得られたデータは図５に示すようなフォーマットで画像ファイリング装置２０１のハードディスクなどの記憶媒体に記憶される。
【００５２】
図５は、画像ファイルの１レコードの構成を示しており、符号６１はＩＤ番号の記憶フィールドで、図６の表示領域７３へ手動入力された番号か、あるいは自動的に生成した番号を記憶させる。符号６２は氏名、男女の別、被検眼の左右の別などを記憶させるためのフィールドである。符号６３は撮影画像データの記憶領域へのポインタ（撮影画像データが別ファイルとして記憶される場合はファイル名など）のためのフィールドである。
【００５３】
符号６４は再検査の要／不要を記録するためのフィールドで、記憶内容は前回の検査の際、検者が図６の表示領域７４のボタンを用いて設定する。再検査の際の撮影領域は後述のようにして決定する。
【００５４】
符号６５以降は撮影条件のためのフィールドで、符号６５は図２のように眼底カメラ部１００が散瞳／無散瞳兼用型の場合に、検査／再検査の際、散瞳／無散瞳のいずれの検査方式を用いるかの制御データを記憶するフィールドである。
【００５５】
符号６６は、検査／再検査の際の撮影倍率（画角）を記憶させるためのフィールド、符号６７は固視位置を記憶させるためのフィールドである。検査の際の撮影倍率および固視位置は、眼底カメラ部１００の操作により決定され、その時の結像レンズ１５（図１）あるいは結像レンズＬ７（図２）の位置が撮影倍率として、また、点灯させた固視灯ＬＥＤ３３（図１、図２）または３３ａ（図２）に対応する識別情報が固視位置として記憶される。
【００５６】
また、フィールド６６、６７の再検査時の撮影倍率および固視位置は、後述の操作を行なうことにより自動的に演算される。
【００５７】
符号６８以降のフィールドには、撮影に用いるフィルタや、撮影媒体の別（ＣＣＤカメラに記録するかフィルムに記録するかなど）などの撮影条件を記憶させる。
【００５８】
本発明においては、検査（前回の眼底撮影）時の眼底画像をモニタ２１に表示し、検者がこの表示画像を見てスクリーニングを行なう時に再検査が必要と判断した場合に、モニタ上の眼底画像の撮影が必要な部位をマウスなどにより指定する操作を行なうことにより、検査（前回の眼底撮影）時の撮影倍率、および固視位置に基づき、再検査時の撮影倍率、および固視位置を自動的に演算し、決定する。
【００５９】
たとえば、図１のように結像レンズ１５にズーム系を用いており、連続的に撮影倍率を変更できる構成においては、図３に示すように眼底画像をモニタ２１に表示する。図３は図６の表示領域７６の部分を示しており、検者は再検査が必要と判断した場合は表示領域７４の「再検査要」のボタンを操作するとともに、マウスにより再検査時の撮影を希望する矩形範囲を指定する。矩形範囲の指定は、この種のユーザーインターフェースで広く行なわれているように所望の矩形の任意の対角線の始点１３２ａ〜終点１３２ｂの間をドラッグ（クリックでもよい）することにより行なう。そして指定された矩形に内接（あるいは外接でもよい）する円の大きさと、撮影済みの眼底画像（通常円形に準じた形である）の大きさの比率、および撮影時の倍率から再検査時の撮影倍率を決定することができる。
【００６０】
また再検査時の固視方向は、指定された矩形を含むよう外接（あるいは内接でもよい）する円と撮影済みの眼底画像（通常円形に準じた形である）のオフセット、および撮影時に選択されている固視位置から決定することができる。
【００６１】
上記の撮影倍率および固視位置の演算は、画像ファイリング装置２０１のＣＰＵ（不図示）が実行する。決定された撮影倍率および固視位置は、当該被検者に対応するレコードのフィールド６６および６７（図５）にいったん格納し、さらに必要な場合は図６の他の撮影条件のボタンを操作して所望の撮影条件を設定する。この設定変更の結果は、同様に当該被検者に対応するレコードの対応するフィールドに記録される。
【００６２】
図６の表示領域７６の眼底画像は、上記の撮影範囲の指定を行なった後の状態を示している。図６の符号７６ａは、図３あるいは図４の指定操作により最終的に選択された撮影範囲に対応し、それ以外の画像部分７６ｂよりも高輝度（あるいは異なる表示色調で）目立つように表示されている。このような表示を行なうことにより、検者は明確に自分の指定した再検査のための撮影範囲を認識できる。
【００６３】
なお、表示領域７５の色フィルタ指定が行なわれていた場合に、指定した撮影範囲７６ａの眼底画像に指定された色フィルタを用いた場合に得られるであろう画像をシミュレートして表示することもできる。これは、検査時の画像に対して指定された色フィルタに対応する色変換処理を加えることにより、行なえる。このようなシミュレート表示により、再検査の際に得られるであろう画像を表示できるため、検者は再検査の条件指定に誤まりがないかを容易に識別することができる。
【００６４】
この段階で検者がボタン７８を押下して再検査を指令すると、決定された撮影条件で再検査時の撮影が行なわれる。特に本発明によれば撮影倍率および固視位置は自動的に決定されるため、スクリーニングを行なった検者が再検査担当者に口頭や文書で指定する必要がなく、検者が撮影範囲指定操作で指定した通りに定まるため、従来方式におけるような不確実性がなく、確実に検者が指定した撮影範囲を撮影できる。
【００６５】
図４は、図２のように結像レンズＬ７がターレット式の場合のユーザーインターフェース例を示したものである。この場合は、検者はマウスのクリックなどにより再検査の際の撮影範囲の中心１４２を指定する。撮影範囲の中心１４２が指定されると、結像レンズＬ７により選択可能な画角範囲を同心円１４３として表示する。そして、所望の撮影範囲に対応した同心円の１つをマウスにより選択することにより、再検査時の撮影倍率が入力される。図４の場合は、結像レンズＬ７の１つに対応する同心円が選択されるため、撮影倍率としては選択されたレンズに対応する情報をフィールド６６に記憶させればよい。フィールド６７に記憶させる固視位置は図３の場合と同様に演算することができる。このように、図２の構成においても、再検査時の撮影倍率と固視位置を撮影範囲指定操作に応じて自動的に決定することができる。
【００６６】
また、図５のようなファイリングデータをネットワーク２０４を介して遠隔地などの他の同じ撮影装置に転送すれば、上記と全く同様に撮影範囲指定操作に応じて自動的に決定した撮影倍率と固視位置を用いて再検査を行なうことができる。
【００６７】
なお、撮影倍率および固視位置は、上記のように再検査時の撮影範囲を指定する時に演算するのではなく、再検査時の撮影範囲の指定操作（図３の矩形範囲の座標、あるいは図４の撮影倍率および中心）を記録しておき、再検査の時に演算してもよい。
【００６８】
以上のように、検査（前回の眼底撮影）時の眼底画像をモニタ２１に表示し、検者がこの表示画像を見てスクリーニングを行なう時に再検査が必要と判断した場合に、再検査範囲を指定する操作を行なうことにより、検査（前回の眼底撮影）時の撮影倍率、および固視位置に基づき、再検査時の撮影倍率、および固視位置を自動的に演算し、決定することができる。本発明によれば、前回の検査の際の画像データについてスクリーニングを行なう検者がその画像データ上で行なった撮影範囲指定操作に応じて次回の再検査の際の撮影倍率および固視位置が自動的に決定されるため、従来方式におけるような不確実性がなく、確実に検者が指定した撮影範囲を撮影できる、という優れた効果がある。
【００６９】
また、以上では、ファイリングデータに被検眼の左右、性別、検査方式（散瞳方式か無散瞳方式か、フィルタの有無や蛍光撮影を行なうか否かなど）、撮影媒体の別、などの撮影条件を含めており、これらの撮影条件を変更しなかった場合は次回の検査（再検査）でも同じ撮影条件を再現することができる。また、スクリーニングの折、再検査の際に検者が変更が必要と考えた撮影条件は図６のようなユーザーインターフェースにより容易に変更でき、再検査の担当者に口頭や文書での申し送りを必要とせず、再検査の際に確実に再現することができる。
【００７０】
以上では、再検査の際の撮影条件の再現について明示的に説明しなかったものもあるが、被検眼の左右などについては、眼底カメラ部１００の光学系を塔載した架台をモータドライブするとともに、その現在位置を電子データとして検出する機構があれば、検者の入力した被検眼の左右の情報のかわりに（あるいはそれに加えて）架台の位置データをファイリングし、再検査の際にそれを再現することが可能である。他の撮影条件についても、適当な駆動手段と、現在の制御位置の検出手段さえあれば、同様に現在の制御位置を記憶させ、再検査の際にそれを再現することが可能で、これにより再検査の際の手間を省き、また、撮影条件の再現性を著しく向上させることができる。
【００７１】
以上では、ネットワークを介して異なる眼底撮影装置で画像ファイリング装置２０１のファイリングデータを共有する構成を説明したが、ファイリングデータの共有はネットワークに限らずフレキシブルディスクや光ディスク（ＭＯ、ＤＶＤＲＡＭなど）異なる眼底撮影装置間でファイリングデータを転送することによっても可能である。
【００７２】
【発明の効果】
以上の説明から明らかなように、本発明によれば、被検眼の眼底画像データを撮影する眼底カメラ部と、前記眼底カメラ部により撮影された眼底画像データおよびその眼底画像データの撮影条件データをファイリングする画像ファイリング装置を含む眼底撮影装置において、被検眼の視線の方向を誘導する固視灯と、眼底撮影時の撮影倍率を制御する変倍手段と、前回撮影した眼底画像データを表示する表示手段と、前記表示手段に表示された前回撮影した眼底画像データの所定範囲を次回の撮影範囲として指定する入力手段と、前記入力手段により指定された次回の撮影範囲と、前回撮影した眼底画像データの撮影条件データから、次回の撮影時の前記固視灯による視線の誘導方向と、前記変倍手段により制御される撮影倍率を決定する制御手段を有する構成を採用しているので、前回の撮影の際の画像データについてスクリーニングを行なう検者がその画像データ上で行なった撮影範囲指定操作に応じて次回の撮影（再検査）の際の撮影倍率および固視位置が自動的に決定されるため、従来方式におけるような不確実性がなく、確実に検者が指定した撮影範囲を撮影できる、という優れた効果がある。
【図面の簡単な説明】
【図１】本発明を適用可能な眼底撮影装置の構成を示した説明図である。
【図２】本発明を適用可能な眼底撮影装置の異なる構成を示した説明図である。
【図３】図１の構成における再検査撮影範囲を指定するユーザーインターフェースの一例を示した説明図である。
【図４】図２の構成における再検査撮影範囲を指定するユーザーインターフェースの一例を示した説明図である。
【図５】図１あるいは図２の画像ファイリング装置において用いられるデータフォーマットの一例を示した説明図である。
【図６】図１あるいは図２の構成において検査／再検査時に用いられるユーザーインターフェースの一例を示した説明図である。
【符号の説明】
１  ランプ
２  赤外フィルタ
３  コンデンサーレンズ
４  ストロボ
６  リングスリット
８  黒点板
９  リレーレンズ
１０  穴あき全反射ミラー
１１  対物レンズ
１２、１３  フォーカスレンズ
１４  撮影絞り
１５  結像レンズ
１６  リターンミラー
１７  結像レンズ
１８  赤外フィルタ
２０  切換装置
２１  モニタ
２３  撮影用カメラ
３３  ＬＥＤ
３１  フォーカス指標
３１Ｌ  液晶板
３１Ｍ  小径穴板
３２  イメージプリズム
３４  フォーカスレンズ
３５  赤外ハーフミラー
５１  内部固視灯
５１ａ  外部固視灯
５３  リングスリットユニット
５４  リングスリットユニット
７０  表示画面
７１、７８  ボタン
７３〜７７  表示領域
１００  眼底カメラ部
２００  制御部
２０１  画像ファイリング装置
２０２  撮影範囲指定部
２０３  データ入力部
２０４  ネットワーク
Ｆ１、Ｆ１’  フィルタ
Ｌ１  コンデンサーレンズ
Ｌ１０  レンズ
Ｌ２  コンデンサーレンズ
Ｌ５  対物レンズ
Ｌ６  フォーカスレンズ
Ｌ７  結像レンズ
Ｍ１  ミラー
Ｍ２  全反射ミラー
Ｍ３  穴あき全反射ミラー
Ｍ４  ミラー
Ｍ５  ミラー
【図１】
0004694741.tif 000002
【図２】
0004694741.tif 000003
【図３】
0004694741.tif 000004
【図４】
0004694741.tif 000005
【図５】
0004694741.tif 000006
【図６】
0004694741.tif 000007